(57)【要約】【課題】軒樋内への鳥の侵入を抑制して、軒樋とその上方の軒樋カバー部材を利用した巣作りが行われることを抑制できる軒先構造を提案すること。【解決手段】本発明の軒先構造は、鼻隠し板１に並べて取り付けた複数の支持具２によって軒樋３を鼻隠し板１から離して屋根軒側先端４０の下方に支持し、軒樋３の屋外側上端部３３と屋根軒側先端４０との間に軒樋カバー部材５を配した軒先構造である。この軒先構造では、軒樋３の屋内側に位置する後壁３２の上端部に、上方の屋根４との間に配置される塞ぎ部材６を取り付け、横並びの支持具２間にて軒樋３と鼻隠し板１との間に形成される隙間Ｓから軒樋３内へと至る侵入経路を塞ぎ部材６によって塞ぐ。【選択図】図１
2014058789.tif 000002
【特許請求の範囲】
【請求項１】
鼻隠し板に並べて取り付けた複数の支持具によって、軒樋を前記鼻隠し板から離して屋根軒側先端の下方に支持し、前記軒樋の屋外側上端部と前記屋根軒側先端との間に、軒樋カバー部材を配した軒先構造であって、
前記軒樋の屋内側に位置する後壁の上端部に、上方の屋根との間に配置される塞ぎ部材を取り付け、
横並びの前記支持具間にて前記軒樋と前記鼻隠し板との間に形成される隙間から前記軒樋内へと至る侵入経路を前記塞ぎ部材によって塞ぐことを特徴とする軒先構造。
【請求項２】
前記支持具は、
前記鼻隠し板に固定される固定部と、この固定部から屋外側に突出する突出部とを備え、この突出部の下方で前記軒樋の前記後壁の前記上端部を支持し、
前記塞ぎ部材は、前記突出部を屋外側に突出させるための引き出し凹所を下端部に備えることを特徴とする請求項１に記載の軒先構造。
【請求項３】
前記塞ぎ部材は、前記軒樋の長手方向に並べて配置される複数の部分塞ぎ部材からなり、
前記部分塞ぎ部材は、
前壁部と後壁部とを前記軒樋の長手方向に連続させて備え、前記後壁部を、前記前壁部よりも少なくとも前記前壁部の厚みだけ屋内側に後退した箇所に位置させ、前記前壁部あるいは前記後壁部に前記引き出し凹所を備え、
横並びに配置される前記部分塞ぎ部材を、一方の前記部分塞ぎ部材の前記前壁部と、他方の前記部分塞ぎ部材の前記後壁部とを前後に重ねて配置可能としたことを特徴とする請求項２に記載の軒先構造。
【発明の詳細な説明】
【技術分野】
【０００１】
本発明は、軒樋内への鳥の侵入を抑制するための軒先構造に関するものである。
【背景技術】
【０００２】
特許文献１には、軒樋本体内への落ち葉や雪の塊等の侵入を抑制するための軒樋カバー部材を、軒樋本体上方に配した軒樋支持構造が提案されている。
【０００３】
この軒樋支持構造では、屋根先端の下方に軒樋本体を配置するために、軒先の壁に固定した複数の支持具本体によって、軒樋本体を軒先の壁から離して支持している。
【先行技術文献】
【特許文献】
【０００４】
【特許文献１】特開２００９−９１７９８号公報
【発明の概要】
【発明が解決しようとする課題】
【０００５】
しかし、上述した軒樋支持構造のように、軒樋本体を軒先の壁から離して支持した場合、横並びの支持具本体間にて軒樋本体と軒先の壁との間に隙間が形成される。そのため、この隙間から雀等の鳥が侵入し、軒樋カバー部材を屋根に利用して軒樋本体内に巣作りを行うといった問題が発生する場合がある。
【０００６】
そこで、上記問題を鑑みて、本発明は、軒樋内への鳥の侵入を抑制して、軒樋とその上方の軒樋カバー部材とを利用した巣作りが行われることを抑制することができる軒先構造を提案することを課題とする。
【課題を解決するための手段】
【０００７】
上記課題を解決する本発明の軒先構造は、鼻隠し板に並べて取り付けた複数の支持具によって、軒樋を前記鼻隠し板から離して屋根軒側先端の下方に支持し、前記軒樋の屋外側上端部と前記屋根軒側先端との間に、軒樋カバー部材を配した軒先構造であって、前記軒樋の屋内側に位置する後壁の上端部に、上方の屋根との間に配置される塞ぎ部材を取り付け、横並びの前記支持具間にて前記軒樋と前記鼻隠し板との間に形成される隙間から前記軒樋内へと至る侵入経路を前記塞ぎ部材によって塞ぐことを特徴とする。
【０００８】
また、前記支持具は、前記鼻隠し板に固定される固定部と、この固定部から屋外側に突出する突出部とを備え、この突出部の下方で前記軒樋の前記後壁の前記上端部を支持し、前記塞ぎ部材は、前記突出部を屋外側に突出させるための引き出し凹所を下端部に備えることが好ましい。
【０００９】
このとき、前記塞ぎ部材は、前記軒樋の長手方向に並べて配置される複数の部分塞ぎ部材からなり、前記部分塞ぎ部材は、前壁部と後壁部とを前記軒樋の長手方向に連続させて備え、前記後壁部を、前記前壁部よりも少なくとも前記前壁部の厚みだけ屋内側に後退した箇所に位置させ、前記前壁部あるいは前記後壁部に前記引き出し凹所を備え、横並びに配置される前記部分塞ぎ部材を、一方の前記部分塞ぎ部材の前記前壁部と、他方の前記部分塞ぎ部材の前記後壁部とを前後に重ねて配置可能とすることが好ましい。
【発明の効果】
【００１０】
本発明の軒先構造は、軒樋の屋内側の後壁の上端部に、上方の屋根との間に配置される塞ぎ部材を取り付けることで、この塞ぎ部材によって、横並びの支持具間にて軒樋と鼻隠し板との間に形成される隙間から軒樋内へと至る侵入経路を塞ぐことができる。これにより、軒樋内への鳥の侵入を抑制でき、軒樋とその上方の軒樋カバー部材とを利用した巣作りが行われることを抑制することができる。
【図面の簡単な説明】
【００１１】
【図１】本発明の実施形態の軒先構造を概略的に示す側面図である。
【図２】同上の軒先構造を部分的に示す斜視図である。
【発明を実施するための形態】
【００１２】
本発明を添付図面に示す実施形態に基づいて説明する。
【００１３】
図１には、本発明の実施形態の軒先構造が示されている。本実施形態の軒先構造では、軒樋３の上方に、軒樋３内への落ち葉や積雪の塊等の侵入を抑制するための軒樋カバー部材５を配している。そして、鼻隠し板１に並べて取り付けた複数の支持具２によって、軒樋３を鼻隠し板１から離して支持し、この軒樋３を屋根４の軒側先端４０の下方に配置している。以下、鼻隠し板１に対して軒樋３が位置する側を屋外側もしくは前側といい、その反対側を屋内側もしくは後側という。また、この前後方向に直交する方向である軒樋３の長手方向を左右方向という。
【００１４】
鼻隠し板１は、左右方向に長尺な長板状である。鼻隠し板１には、その長手方向に沿って複数の支持具２が略一直線状に並べて取り付けられている。各支持具２は、隣に配置される支持具２との間に距離を空けて配置される。この複数の支持具２によって軒樋３は、その長手方向の略全長に亘って支持され、鼻隠し板１と略平行に配置される。
【００１５】
本実施形態の軒先構造では、屋根４の軒側先端４０の屋内側の近傍箇所から水切り板７を垂下させて設けている。水切り板７は、屋根４を伝って鼻隠し板１へと雨水が流れることを抑制するためのものである。水切り板７は、屋根４の軒側先端４０の長手方向（左右方向）の略全長に亘って設けられる。水切り板７の下端部は、屋内側上方に向けて折れ曲がっている。なお、水切り板７は、屋根４の軒側先端４０の長手方向の長さと略同じ長さのものであってもよいし、屋根４の軒側先端４０の長手方向に沿って、部分水切り板を複数並べて設けたものであってもよい。この部分水切り板とは、図１に示す側面形状を備え、左右方向の長さが、屋根４の軒側先端４０の長手方向の長さよりも短くなるように形成したものである。
【００１６】
軒樋３は、底壁３０と、底壁３０の屋外側の端部から上方に立ち上げた前壁３１と、底壁３０の屋内側の端部から上方に立ち上げた後壁３２とを備える。前壁３１の上端部には、屋内側に向けて突出した前耳部３４を備え、後壁３２の上端部には、屋内側に向けて突出した後耳部３５を備える。前耳部３４と後耳部３５はそれぞれ略角筒状をなしている。前耳部３４と前壁３１の上端部との間には、下方に開口した差込溝３６を備えている。また、後耳部３５の底部には、下方に開口した係止溝３７を備えている。この前壁３１の上端部と前耳部３４と差込溝３６とを含む箇所が、軒樋３の屋外側上端部３３である。
【００１７】
支持具２は、鼻隠し板１に固定される固定部２０と、固定部２０から屋外側に突出する突出部２１と、突出部２１の先端部に前後方向にスライド自在に取り付けられた支持アーム２２と、支持アーム２２を突出部２１に固定する位置固定部２３とを備える。支持具２は、支持アーム２２のスライド位置を前後に調整することによって、鼻隠し板１から屋根軒側先端４０までの前後距離に対応して、軒樋３を屋根軒側先端４０の下方に支持することができる。そして、支持具２は、位置固定部２３によって支持アーム２２を突出部２１の先端部に固定することで、支持アーム２２の前後位置、つまりは、軒樋３の支持位置が決まる。支持具２は、固定部２０がネジ等の固定手段によって鼻隠し板１に固定される。支持具２の突出部２１及び支持アーム２２の左右方向の幅は、例えば２ｃｍ程度であるが、求める強度等に応じて適宜設定可能である。
【００１８】
支持アーム２２は、前端部に軒樋３の前耳部３４を支持する前支持部２４を備える。そして、支持アーム２２は、後端部に軒樋３の後耳部３５を支持する後支持部２５を備える。前支持部２４は、軒樋３の前壁３１と前耳部３４との間の差込溝３６に下方から差し込まれて、前耳部３４を支持する。また、後支持部２５は、側面視において前後反転した略Ｌ字状をなしている。後支持部２５は、その下端部から当接部２６が下方に向けて突出している。そして、後支持部２５には、上方に突出する係止片が形成されている。後支持部２５によって後耳部３５を支持する際に、この係止片が後耳部３５の底部の係止溝３７に係止され、当接部２６が後壁３２の後面に当接することで、後支持部２５は後耳部３５を安定して支持することができる。
【００１９】
支持具２の位置固定部２３には、軒樋カバー部材５を支持する保持部５０が取り付けられる。保持部５０は、その下端部が位置固定部２３によって突出部２１の先端部（前端部）に固定される。そして、保持部５０は、その上端部に軒樋カバー部材５が取り付けられる。保持部５０は、複数の支持具２全てまたはその一部に取り付けられる。なお、保持部５０の上端部は、軒樋カバー部材５を保持する形状であれば、どのような形状であってもよい。本実施形態では、保持部５０の上端部は略Ｔ字状をなし、この略Ｔ字状の上端部が嵌り込む嵌合溝５１が軒樋カバー部材５の下面に形成されている。
【００２０】
軒樋カバー部材５は、軒樋３の長手方向（左右方向）の長さと略同じ長さの長尺な板状部材で構成される。そして、軒樋カバー部材５は、左右方向に並ぶ複数の保持部５０によって支持される。なお、軒樋カバー部材５は、複数の部分カバー部材を軒樋３の長手方向に並べて配置するものであってもよい。この部分カバー部材とは、図１に示す側面形状を備え、左右方向の長さが、軒樋３の長手方向（左右方向）の長さよりも短くなるように形成したものである。この場合、複数の部分カバー部材それぞれを支持する保持部５０の数は、１つであってもよいし、２つ以上であってもよい。
【００２１】
軒樋カバー部材５は、軒樋３の長手方向（左右方向）の略全長に亘って、軒樋３の上方を覆う。そして、軒樋カバー部材５は、屋根軒側先端４０と軒樋３の屋外側上端部３３との間に、僅かな水落下用の隙間を介して配置される。これにより、軒樋カバー部材５と屋根軒側先端４０との間には、屋根４を伝って流れる雨水を軒樋３内へと流れ落とすための小さな隙間が形成される。そして、軒樋カバー部材５と軒樋３の屋外側上端部３３との間には、軒樋カバー部材５を伝って流れる雨水を軒樋３内へと流れ落とすための小さな隙間が形成される。
【００２２】
本実施形態では、軒樋カバー部材５を、屋根軒側先端４０と軒樋３の屋外側上端部３３とを結ぶ線に沿うように傾斜させて配置している。なお、軒樋カバー部材５は、軒樋３内への落ち葉や積雪の塊や鳥等の侵入を抑制できるように配置されればよく、上述の設置方法に限定されない。
【００２３】
以上説明した本実施形態の軒先構造では、軒樋３を支持具２によって鼻隠し板１から離して支持することによって、左右方向に横並びの支持具２間にて、軒樋３と鼻隠し板１との間に隙間Ｓが形成される。そして、軒樋３の上方に軒樋カバー部材５を軒樋３から離して配置することによって、軒樋３は、雨が直接降り込みにくい環境となる。そのため、軒樋３は、隙間Ｓから侵入した雀等の鳥が巣作りしやすい環境となる。
【００２４】
隙間Ｓを介して軒樋３内に鳥が侵入することを抑制するために、本実施形態の軒先構造はさらに、隙間Ｓから軒樋３内へと至る侵入経路を塞ぐための塞ぎ部材６を備えている。塞ぎ部材６は、軒樋３の後壁３２の上端部の後耳部３５に取り付けられることで、この後耳部３５とその上方の屋根４との間を塞ぐ。なお、ここでいう塞ぐとは、侵入経路を鳥が侵入不可能な程度に狭めるといった意味を含む。
【００２５】
塞ぎ部材６の構成についてさらに詳しく説明する。塞ぎ部材６は、図２に示すように、軒樋３の長手方向に並べて配置される複数の部分塞ぎ部材６０から構成される。部分塞ぎ部材６０は、前壁部６１の右端部から後壁部６２を右方向に延設させて形成している。前壁部６１と後壁部６２は共に、矩形板状で形成される。後壁部６２は、前壁部６１の前後厚みと略同じ長さだけ前壁部６１の後方に後退させて設けられている。前壁部６１と後壁部６２は平行に設けられている。
【００２６】
前壁部６１は、その下端部に取付部６４を下方に突出させて設けている。取付部６４は、図１に示すように、下向き略Ｕ字状に形成されており、前壁部６１の下面の前端部から下方に向けて突出した前板部６５と、前壁部６１の下面の後端部から下方に向けて突出した後板部６６とを備える。取付部６４は、前板部６５と後板部６６とで、軒樋３の後耳部３５を前後から挟み込むことで、この後耳部３５に嵌合する。後板部６６の先端部には、前側上向きに突出する係止用突起６７が形成されている。この係止用突起６７は、後耳部３５に取付部６４を嵌合させた状態で、後耳部３５の底部の係止溝３７に係止されることで、塞ぎ部材６を抜け止めする。前壁部６１は、取付部６４を後耳部３５に嵌合させた状態で、軒樋３の後壁３２の上方にこの後壁３２と略同一直線状に立てた姿勢で配置される。
【００２７】
また、後壁部６２は、図２に示すように、右下の角部分に引き出し凹所６３を備える。引き出し凹所６３は、前後に貫通し、下方及び右方に開口した孔である。
【００２８】
引き出し凹所６３の上下幅は、取付部６４を後耳部３５に嵌合させ、引き出し凹所６３から突出部２１を屋外側に突出させた状態で、引き出し凹所６３の奥面６３０と、突出部２１の上面２１０との間にわずかに隙間が形成されるように設定される。あるいは、引き出し凹所６３の上下幅は、上述の取付状態で、引き出し凹所６３の奥面６３０と、突出部２１の上面２１０との間にちょうど隙間が無くなるように設定される。つまり、後壁部６２は、前壁部６１の取付部６４を後耳部３５に取り付ける際に、突出部２１に押されて上方に浮き上がることはない。
【００２９】
また、引き出し凹所６３の左右幅は、上述の状態のときに、突出部２１のうち引き出し凹所６３内に位置する部位の左右幅と同じか、それよりも若干広くなるように設定される。
【００３０】
上述した部分塞ぎ部材６０を横並びに２つ配置する場合、右側に配置される部分塞ぎ部材６０の前壁部６１の後方に、左側に配置される部分塞ぎ部材６０の後壁部６２を重ねることができる。このとき、重ね合わせる量を調整することによって、横並びの２つの部分塞ぎ部材６０によって塞ぐことのできる左右幅を調整することができる。また、このとき、左側に配置される部分塞ぎ部材６０の後壁部６２にある引き出し凹所６３を、右側に配置される部分塞ぎ部材６０の前壁部６１によって塞ぐことができる。これにより、支持具２の突出部２１が存在しない箇所に配置される部分塞ぎ部材６０の不要な引き出し凹所６３は塞ぐことができる。または、この引き出し凹所６３は鳥の侵入が不可能な程度に狭めることができる。
【００３１】
したがって、本実施形態の部分塞ぎ部材６０は、横並びの支持具２間の距離に合わせて自在に配置することができ、支持具２の取り付け位置の自由度を向上させることができる。
【００３２】
なお、横並びに配置される２つの部分塞ぎ部材６０は、必ずしも前後に重ねて配置する必要はない。つまり、２つの部分塞ぎ部材６０は、その間に鳥が侵入不可能な程度に隙間を空けて配置してもよい。
【００３３】
図１に示す本実施形態の軒先構造では、軒樋３の後耳部３５からその上方の屋根４までの間を、部分覆い部材６０によって塞いでいる。なお、図１を参照すると、部分覆い部材６０とその上方の屋根４との間には隙間が空いているが、この隙間は鳥の侵入が不可能なサイズの隙間である。そして、この隙間は、部分覆い部材６０を後耳部３５に落とし込んで嵌合させるための落とし込み用の隙間である。
【００３４】
本実施形態では、塞ぎ部材６よりも屋外側に配置された水切り板７によって、塞ぎ部材６とその上方の屋根４との隙間を塞いでいる。なお、水切り板７は必須の構成ではない。
【００３５】
以上説明した本実施形態の軒先構造では、軒樋３の後壁３２の上端部の後耳部３５に、塞ぎ部材６（複数の部分塞ぎ部材６０）を取り付けることで、この後耳部３５とその上方の屋根４との間を塞ぎ部材６で塞ぐことができる。これにより、塞ぎ部材６は、横並びの支持具２間にて軒樋３と鼻隠し板１との間に形成される隙間Ｓから軒樋３内へと至る侵入経路を塞ぐことができる。その結果、塞ぎ部材６は、軒樋３内への鳥の侵入を抑制でき、軒樋３とその上方の軒樋カバー部材５とを利用した巣作りが行われることを抑制することができる。
【００３６】
なお、上述した本実施形態の軒先構造では、部分塞ぎ部材６０の後壁部６２の右下の角部分に引き出し凹所６３を備えていたが、引き出し凹所６３は、前壁部６１の下端部あるいは後壁部６２の下端部に形成すればよい。つまり、引き出し凹所６３は、前壁部６１の左下の角部分に形成してもよいし、前壁部６１の下端部のうち角部分以外の箇所、あるいは、後壁部６２の下端部のうち角部分以外の箇所に、左右に開口しない形状で形成してもよい。
【００３７】
また、上述した本実施形態の軒先構造では、前壁部６１の右側に後壁部６２を配置していたが、前壁部６１と後壁部６２とは軒樋３の長手方向に連続させて備える様態であればよい。つまり、前壁部６１の左側に後壁部６２を配置してもよい。
【００３８】
また、後壁部６２は、前壁部６１よりも少なくとも前壁部６１の厚みだけ屋内側に後退した箇所に位置すればよい。つまり、横並びの部分塞ぎ部材６０は、前壁部６１と後壁部６２とを前後に重ねる際、その間に鳥が侵入不可能な隙間が形成されてもよい。
【００３９】
また、部分塞ぎ部材６０は、後壁部６２あるいは前壁部６１に、引き出し凹所６３と取付部６４とを両方備えるようにしてもよい。
【００４０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４１】
１      鼻隠し板
２      支持具
３      軒樋
５      軒樋カバー部材
６      塞ぎ部材
３２    後壁
３３    屋外側上端部
４０    屋根軒側先端
Ｓ      隙間
【図１】
2014058789.tif 000003
【図２】
2014058789.tif 000004